(57)【要約】      （修正有）【課題】防水性および通気性に加え、周方向および長手方向の両方向に伸長可能な防水性足袋を提供する。【解決手段】複合防水通気性足袋１０は、二方向に伸びることができる複合防水通気性足袋１０であり、第１端１４の分割つま先部１２と、第２端１８の開口部１６と、第１端１４と第２端１８の間の途中にあるかかと部分２０と、中に弾性撚糸を有する外側層２２と、内側層２４と、第１端１４と第２端１８の間に延在し、緯糸Ｘ方向と経糸Ｙ方向の両方向に波形構造２８を有する、防水通気性中間フィルム２６と、を備え、波形構造２８は、かかと部分２０と第２端１８との間よりもかかと部分２０と第１端１４との間でより伸長性がある。【選択図】図１
0003228197.tif 000002
【実用新案登録請求の範囲】
【請求項１】
二方向に伸びることができる複合防水通気性足袋であり、
第１端の分割つま先部と、第２端の開口部と、前記第１端と前記第２端との間の途中にあるかかと部分と、中に弾性撚糸を有する外側層と、内側層と、前記第１端と前記第２端との間に延在し、緯糸Ｘ方向と経糸Ｙ方向の両方向に波形構造を有する、防水通気性中間フィルムと、を備え、
前記波形構造は、前記かかと部分と前記第２端との間よりも前記かかと部分と前記第１端との間でより伸長性がある、複合防水通気性足袋。
【請求項２】
前記外側層内に配置された前記弾性撚糸の撚り数が、３５０（Ｔ／ｍ）である、請求項１に記載の複合防水通気性足袋。
【請求項３】
前記内側層が、綿、ウール、アクリル、レーヨン、ポリアミド、ポリエステルの１つ以上を含む内側層本体糸を含む、請求項１または２に記載の複合防水通気性足袋。
【請求項４】
前記外側層が、ポリアミド、綿、モーダル、ポリエステルの１つ以上を含む外側層本体糸を含む、請求項１〜３のいずれかに記載の複合防水通気性足袋。
【請求項５】
前記外側層本体糸と前記弾性撚糸との比が７５：２５である、請求項４に記載の複合防水通気性足袋。
【請求項６】
前記外側層が、１３ゲージのつま先靴下編機で編まれ、前記かかと部分を有する、請求項１〜５のいずれかに記載の複合防水通気性足袋。
【請求項７】
前記内側層が、１３ゲージのつま先靴下編機で編まれ、前記かかと部分を有しない、請求項１〜６のいずれかに記載の複合防水通気性足袋。
【請求項８】
前記内側層が１０ゲージのつま先靴下編機で編まれる、請求項１〜６のいずれかに記載の複合防水通気性足袋。
【請求項９】
前記外側層、前記内側層、および前記防水通気性中間フィルムを接合するために１つ以上の接着剤が使用される、請求項１〜８のいずれかに記載の複合防水通気性足袋。
【請求項１０】
前記接着剤が、熱活性化熱可塑性ポリウレタン（ＴＰＵ）材料を含む、請求項９に記載の複合防水通気性足袋。
【請求項１１】
前記防水通気性中間フィルムが、緯糸Ｘ方向および経糸Ｙ方向の両方向に波形構造を有し、周方向および長手方向に伸長性があるように構成される、請求項１〜１０のいずれかに記載の複合防水通気性足袋。
【請求項１２】
前記接着剤が、当該接着剤の分離したドットまたは島の状態で前記防水通気性中間フィルムの内面および外面の両方に位置し、前記防水通気性中間フィルムを内側層および外側層のそれぞれに、および内側層および外側層の間で接着している、請求項９〜１１のいずれかに記載の複合防水通気性足袋。
【請求項１３】
前記かかと部分と前記第１端との間の足袋の領域において、前記接着剤の分離したドットまたは島が、前記かかと部分と前記第２端の間の前記接着剤の分離したドットまたは島よりも、緯糸Ｘ方向および経糸Ｙ方向の両方向において互いにさらに離隔している、請求項１２に記載の複合防水通気性足袋。
【請求項１４】
前記外側層および前記内側層の間に挟まれた前記防水通気性中間フィルムは、前記足袋の異なる領域において緯糸Ｘ方向および経糸Ｙ方向の両方向に異なる伸長特性を有する波形構造を有し、前記かかと部分と前記第２端との間の領域よりも前記かかと部分と前記第１端との間の領域において伸長により耐性がある、請求項１３に記載の複合防水通気性足袋。
【考案の詳細な説明】
【技術分野】
【０００１】
本考案は、複合防水通気性足袋に関し、具体的には、二方向に伸びることができ、それゆえに、周方向および長手方向に伸長性を有することができる、複合防水通気性足袋に関する。
【背景技術】
【０００２】
防水靴下が実用性を発揮する状況や環境は数多くある。そのような状況や環境としては、例えば、着用者の足を乾いた状態に保つことが重要であったり、望ましい商業環境や工業環境での使用はもちろん、ウォーキング、ランニング、トレッキング、ハイキング、サイクリング、釣り、キャンプ、園芸などの屋外での特定の興味やアクティビティでの使用も挙げられる。
足袋は、日本で着用される伝統的な靴下である。
【考案の概要】
【考案が解決しようとする課題】
【０００３】
本考案は、防水性足袋を提供するためのワンパッケージソリューションを提供する。防水性および通気性の性能に加えて、本考案の防水性複合足袋は、周方向および長手方向の両方向に伸長可能であり、着用者の足およびつま先の周りに、特に着用者の足の親指とそれに隣接するつま先の間に、ぴったりと快適にフィットする。
【課題を解決するための手段】
【０００４】
本考案の特定の実施形態によれば、二方向に伸びることができる複合防水通気性足袋が提供され、当該複合防水通気性足袋は、第１端の分割つま先部と、第２端の開口部と、第１端と第２端との間の途中にあるかかと部分と、中に弾性撚糸を有する外側層と、内側層と、第１端と第２端との間に延在し、緯糸Ｘ方向と経糸Ｙ方向の両方向に波形構造を有する、防水通気性中間フィルムと、を備え、波形構造は、かかと部分と第２端との間よりもかかと部分と第１端の間でより伸長性がある。
【０００５】
この構造と組成を採用することにより、複合防水通気性足袋は縦方向に伸び性を有し、着用者に幅広いサイズの柔軟性を与える。本考案は、従来の防水靴下がきつすぎたり、緩すぎたりする（サイズが大きい）ことによる不快感を解消し、また、従来の技術により製造された複合靴下に生じる傾向のある、防水フィルムのつま先部での摩耗の可能性を大幅に低減する。
【０００６】
好ましくは、内側層は、綿、ウール、アクリル、レーヨン、ポリアミド、ポリエステルおよび／もしくは他の適当な材料、または材料の混合物など、特に着用者の快適性のために、および足袋の意図される用途または目的に従って、選択される、内側層本体糸を含む。
【０００７】
好ましくは、外側層は、ポリアミド、綿、モーダル、ポリエステル（特に、足袋の意図される用途または目的に従って選択される材料）などの、外側層本体糸を含み、その中に弾性撚糸が配置される。
【０００８】
好ましくは、複合防水通気性足袋は、撚り数が３５０（Ｔ／ｍ（ｔｗｉｓｔｓ  ｐｅｒ  ｍｅｔｒｅ））で外側層に配置される弾性撚糸を有する。
【０００９】
さらに、本体糸と追加のスパンデックス撚糸の比は、７５：２５であってもよい。
【００１０】
外側層は、１３ゲージのつま先靴下編機で編まれてもよく、好ましくはかかと部分を有する。
【００１１】
内側層は、１３ゲージのつま先靴下編機で編まれてもよく、好ましくはかかと部分を有しない。
【００１２】
あるいは、内側層は１０ゲージのつま先靴下編機で編まれてもよい。
【００１３】
好ましくは、１つ以上の接着剤が、外側層、内側層、および防水通気性中間フィルムを接合し、当該接着剤が、熱活性化熱可塑性ポリウレタン（ＴＰＵ）材料であり得る。
【００１４】
好ましくは、防水通気性中間フィルムは、緯糸Ｘ方向および経糸Ｙ方向の両方向に波形構造を有し、周方向および長手方向に伸長性があるように構成される。
【００１５】
好ましくは、防水通気性中間フィルムは、足袋のような形態を有し、接着剤は、好ましくは、内側層および外側層との積層前に、接着剤の分離したドットまたは島の状態で内面上および外面上の両方に配置される。
【００１６】
かかと部分と第１端との間の足袋の領域において、接着剤の分離したドットまたは島が、好ましくは、かかと部分と第２端の間の領域における接着剤の分離したドットまたは島よりも、緯糸Ｘ方向および経糸Ｙ方向の両方向において互いにさらに離隔している。
【００１７】
好ましくは、防水通気性中間フィルムの前記足袋のような形態は、弛緩した内側層と外側層よりも大きく、それにより、内側層と外側層の間に積層すると、前記足袋のような形態は、波形形態をとって各領域間で接着剤のドットまたは島の異なる間隔を有し、波形構造が、かかと部分と第２端との間よりもかかと部分と第１端との間でより伸長性を有している。
【００１８】
次に、本考案の好ましい実施形態を、添付の図面を参照して、例の方法により説明する。
【図面の簡単な説明】
【００１９】
【図１】図１は、本考案による複合防水通気性足袋の概略斜視図である。
【図２】図２は、図１の複合防水通気性足袋の領域ＩＩの拡大断面図である。
【図３】図３は、図１の複合防水通気性足袋の領域ＩＩＩの拡大断面図である。
【考案を実施するための形態】
【００２０】
図１〜３を参照すると、本考案は、二方向に伸びることができる複合防水通気性足袋１０を提供し、当該複合防水通気性足袋１０は、第１端１４の分割つま先部１２と、第２端１８の開口部１６と、第１端１４と第２端１８との間の途中にあるかかと部分２０と、中に弾性撚糸を有する外側層２２と、内側層２４と、第１端１４と第２端１８との間に延び、緯糸Ｘ方向と経糸Ｙ方向の両方向に波形構造２８を有する、防水通気性中間フィルム２６と、を備え、波形構造２８は、かかと部分２０と第２端１８との間よりもかかと部分２０と第１端１４との間でより伸長性を有する。
【００２１】
より詳細には、本考案は、積層構造を有する複合防水通気性足袋１０を提供し、当該積層構造中において内側層２４は内側層本体糸を含み、外側層２２は外側層本体糸を含む。内側層本体糸は、綿、ウール、アクリル、レーヨン、ポリアミド、ポリエステルおよび／もしくは任意の適当な材料、または材料の混合物など、特に着用者の快適性のために、および足袋の意図される用途または目的に従って、選択される。また、外側層本体糸は、ポリアミド、綿、モーダル、ポリエステル（特に、足袋の意図される用途または目的に従って選択される材料）などであり、撚り数が３５０（Ｔ／ｍ）である弾性撚糸が外側層本体糸の中に配置される。
【００２２】
この構造および組成を採用することにより、本考案の複合防水通気性足袋は、特に長手方向の伸び性を有し、着用者に幅広いサイズの柔軟性を与える。本考案は、従来の防水靴下がきつすぎたり、緩すぎたりする（サイズが大きい）ことによる不快感を解消し、また、従来の技術により製造された複合靴下に生じる傾向のある、防水フィルムのつま先部での摩耗の可能性を大幅に低減する。弾性撚糸を内側層ではなく外側層に有することにより、内側層が緩くなりまた伸びにくくなり、着用者の足の周りに外側層をよりよくフィットさせることができる。また、それは分割つま先部１２の周りにも快適さを与える。
【００２３】
本体糸と追加のスパンデックス撚糸の比率は７５：２５である。
外側層は、１３ゲージのつま先靴下編み機で編まれ、かかと部分を有する。
内側層は、１３ゲージのつま先靴下編機で編まれる。また、内側層は、かかと部分を有しない。
或いは、内側層は、１０ゲージのつま先靴下編機で編まれる。
【００２４】
１つ以上の接着剤３２を使用して、外側層２２、内側層２４、および防水通気性中間フィルム２６を接合する。適当な接着剤３２は、熱活性化熱可塑性ポリウレタン（ＴＰＵ）材料である。
【００２５】
図１〜３に示すように、防水通気性中間フィルム２６は、緯糸Ｘ方向および経糸Ｙ方向の両方向に波形構造を有し、周方向および長手方向に伸長性を有するように構成されている。
【００２６】
防水通気性中間フィルム２６は、足袋のような形態を有し、接着剤は、接着剤の分離したドットまたは島の状態で防水通気性中間フィルム２６の内面（防水通気性中間フィルム２６の内側層側の表面）および外面（防水通気性中間フィルム２６の外側層側の表面）の両方に位置する。
【００２７】
かかと部分２０と第１端１４の間の足袋の領域で、接着剤の分離したドットまたは島は、かかと部分２０と第２端１８の間の接着剤の分離したドットまたは島（図２）よりも、緯糸Ｘ方向および経糸Ｙ方向の両方向において互いにさらに離隔している（図３）。
【００２８】
防水通気性中間フィルム２６の前記足袋のような形状は、複合構造の積層前の弛緩した内側層２４および外側層２２よりも大きく、したがって、積層され複合足袋構造が形成されると、防水通気性中間フィルム２６は波形形態をとって、前述の各領域間における接着剤のドットまたは島の異なる間隔を有し、波形構造２８は、かかと部分２０と第２端１８の間よりもかかと部分２０と第１端１４の間でより伸長性を有している。
【００２９】
この構成により、外側層と内側層との間に挟まれた防水通気性中間フィルム２６は、足袋の異なる領域で緯糸Ｘ方向と経糸Ｙ方向の両方向に異なる伸長特性を持つ波形構造を有し、また、それにより、防水通気性中間フィルム２６が、内側層と外側層に沿って周方向および長手方向に伸長し、足袋の着用時に、異なる程度に延びることができる。また、防水通気性中間フィルム２６は、かかと部分２０と第２端１８との間の領域よりもかかと部分２０と第１端１４との間の領域において伸長により耐性がある。
【００３０】
この異なる伸長特性は、本考案の足袋の着用者に改善された快適さを与える。
【００３１】
本考案の精神または範囲から逸脱することなく、様々な修正を行うことができる。この文書は、本考案の実施形態を開示しているが、本考案の範囲を限定するものではない。
上記の明細書において、特に重要であると考えられる本考案のこれらの特徴に注意を向けるよう努める一方で、出願人は、特に強調されているかどうかにかかわらず、上記で参照および／または図面に示される特許性のある特徴または特徴の組み合わせに関して、保護を請求することを理解されたい。
【図１】
0003228197.tif 000003
【図２】
0003228197.tif 000004
【図３】
0003228197.tif 000005
【手続補正書】
【提出日】令和2年7月17日(2020.7.17)
【手続補正１】
【補正対象書類名】実用新案登録請求の範囲
【補正対象項目名】全文
【補正方法】変更
【補正の内容】
【実用新案登録請求の範囲】
【請求項１】
二方向に伸びることができる複合防水通気性足袋であり、
第１端の分割つま先部と、第２端の開口部と、前記第１端と前記第２端との間の途中にあるかかと部分と、中に弾性撚糸を有する外側層と、内側層と、前記第１端と前記第２端との間に延在し、緯糸Ｘ方向と経糸Ｙ方向の両方向に波形構造を有する、防水通気性中間フィルムと、を備え、
前記波形構造は、前記かかと部分と前記第２端との間よりも前記かかと部分と前記第１端との間でより伸長性がある、複合防水通気性足袋。
【請求項２】
前記外側層内に配置された前記弾性撚糸の撚り数が、３５０（Ｔ／ｍ）である、請求項１に記載の複合防水通気性足袋。
【請求項３】
前記内側層が、綿、ウール、アクリル、レーヨン、ポリアミド、ポリエステルの１つ以上を含む内側層本体糸を含む、請求項１または２に記載の複合防水通気性足袋。
【請求項４】
前記外側層が、ポリアミド、綿、モーダル、ポリエステルの１つ以上を含む外側層本体糸を含む、請求項１〜３のいずれかに記載の複合防水通気性足袋。
【請求項５】
前記外側層本体糸と前記弾性撚糸との比が７５：２５である、請求項４に記載の複合防水通気性足袋。
【請求項６】
前記外側層が、１３ゲージのつま先靴下編機で編まれ、前記かかと部分を有する、請求項１〜５のいずれかに記載の複合防水通気性足袋。
【請求項７】
前記内側層が、１３ゲージのつま先靴下編機で編まれ、前記かかと部分を有しない、請求項１〜６のいずれかに記載の複合防水通気性足袋。
【請求項８】
前記内側層が１０ゲージのつま先靴下編機で編まれる、請求項１〜６のいずれかに記載の複合防水通気性足袋。
【請求項９】
前記外側層、前記内側層、および前記防水通気性中間フィルムを接合するために１つ以上の接着剤が使用される、請求項１〜８のいずれかに記載の複合防水通気性足袋。
【請求項１０】
前記接着剤が、熱活性化熱可塑性ポリウレタン（ＴＰＵ）材料を含む、請求項９に記載の複合防水通気性足袋。
【請求項１１】
前記防水通気性中間フィルムが、緯糸Ｘ方向および経糸Ｙ方向の両方向に波形構造を有し、周方向および長手方向に伸長性があるように構成される、請求項１〜１０のいずれかに記載の複合防水通気性足袋。
【請求項１２】
前記接着剤が、当該接着剤の分離したドットまたは島の状態で前記防水通気性中間フィルムの内面および外面の両方に位置し、前記防水通気性中間フィルムを内側層および外側層のそれぞれに、および内側層および外側層の間で接着している、請求項９または１０に記載の複合防水通気性足袋。
【請求項１３】
前記かかと部分と前記第１端との間の足袋の領域において、前記接着剤の分離したドットまたは島が、前記かかと部分と前記第２端の間の前記接着剤の分離したドットまたは島よりも、緯糸Ｘ方向および経糸Ｙ方向の両方向において互いにさらに離隔している、請求項１２に記載の複合防水通気性足袋。
【請求項１４】
前記外側層および前記内側層の間に挟まれた前記防水通気性中間フィルムは、前記足袋の異なる領域において緯糸Ｘ方向および経糸Ｙ方向の両方向に異なる伸長特性を有する波形構造を有し、前記かかと部分と前記第２端との間の領域よりも前記かかと部分と前記第１端との間の領域において伸長により耐性がある、請求項１３に記載の複合防水通気性足袋。